(57)【要約】【課題】蒸気等の湿気を振り出し口に直接当たり難くし、振り出し口に内容物が付着して固化することを抑制すること。【解決手段】内容物Ｗが収容された容器本体２の口部２ａに取り付けられ、内容物を振り出すための振り出し口１２を有する天壁部２１と、該天壁部の外周縁から垂下された筒部２０とからなるキャップ本体１０と、該キャップ本体の天壁部上に配置され、振り出し口を開閉する蓋体１１と、を備え、天壁部には、振り出し口がキャップ軸Ｏより径方向外方に形成され、蓋体は、一端側がキャップ本体に回転軸Ｌ回りに回転可能に連結される連結端Ｐ２とされ、他端側が開閉操作に伴いキャップ本体に対して接近離間する移動端Ｐ１とされ、連結端が、キャップ本体において、振り出し口が偏在している側の筒部に位置している振り出しキャップ１を提供する。【選択図】図１
2011093588.tif 000002
【特許請求の範囲】
【請求項１】
内容物が収容された容器本体の口部に取り付けられ、内容物を振り出すための振り出し口を有する天壁部と、該天壁部の外周縁から垂下された筒部と、からなる有頂筒状のキャップ本体と、
該キャップ本体の天壁部上に配置され、キャップ軸に交差する垂直面に沿って延在する回転軸回りに回転可能に取り付けられ、前記振り出し口を開閉する蓋体と、を備え、
前記天壁部には、前記振り出し口が前記キャップ軸より径方向外方に形成され、
前記蓋体は、一端側が前記キャップ本体に前記回転軸回りに回転可能に連結される連結端とされ、他端側が開閉操作に伴いキャップ本体に対して接近離間する移動端とされ、
前記連結端が、前記キャップ本体において、前記振り出し口が偏在している側の前記筒部に位置していることを特徴とする振り出しキャップ。
【請求項２】
請求項１に記載の振り出しキャップにおいて、
前記天壁部には、該天壁部において振り出し口が形成された部分を全周に亘って囲う囲繞壁部が設けられていることを特徴とする振り出しキャップ。
【請求項３】
請求項２に記載の振り出しキャップにおいて、
前記囲繞壁部と前記筒部との一部が共有されており、該共有部分に前記連結端が位置するように前記蓋体が設けられていることを特徴とする振り出しキャップ。
【発明の詳細な説明】
【技術分野】
【０００１】
本発明は、例えば粉状或いは顆粒状の内容物が収容された容器本体の口部に装着される振り出しキャップに関するものである。
【背景技術】
【０００２】
この種の振り出しキャップとして、従来、例えば下記特許文献１に示されているような、天壁部に振り出し口が形成されたキャップ本体と、このキャップ本体に回動自在に取り付けられて前記振り出し口を開閉する蓋体と、を備えた構成のキャップが知られている。詳しく説明すると、上記した蓋体は、キャップ本体の径方向一端側の側面から他端側の側面まで延在する板状の部材であり、キャップ本体の天壁部上に配置されている。この蓋体は、一端側の操作部を押し下げることで、他端側が上方に跳ね上り、振り出し口を露出させる開状態となり、また、跳ね上がった蓋体の他端部を押し下げることで、振り出し口を被蓋する閉状態になる。
【先行技術文献】
【特許文献】
【０００３】
【特許文献１】実公昭５６−２８９４０号公報
【発明の概要】
【発明が解決しようとする課題】
【０００４】
ところで、内容物として例えば調味料を容器本体内に収容した振り出し容器では、調理中のフライパンや鍋の中に内容物を直接振り出すような使い方をする場合が多々ある。このような場合、フライパンや鍋から立ち上がってくる蒸気等の高湿度雰囲気中で内容物を振り出すので、内容物が湿気によって振り出し口に付着してそのまま固化しやすい。
このように振り出し口に内容物が付着して固化すると、振り出し口が目詰まりしたり、付着物によって蓋体が完全に閉まらなくなったりする問題が生じる。よって、このような不都合を回避するための対策が望まれている。
【０００５】
しかしながら、この点、上記した従来の振り出しキャップでは、振り出し口がキャップ本体の天壁部に形成されて露出しているので、使用時に蒸気等の湿気が振り出し口に直接当たり易い。よって、湿気の影響によって振り出し口に内容物が付着して固化し易く、振り出し口の目詰まりや蓋体の閉蓋不良の問題が生じ易い。
【０００６】
本発明は、このような事情に鑑みてなされたものであって、その目的は、蒸気等の湿気を振り出し口に直接当たり難くし、振り出し口に内容物が付着して固化することを抑制することができる振り出しキャップを提供することである。
【課題を解決するための手段】
【０００７】
上記の目的を達成するために、この発明は以下の手段を提供している。
（１）本発明に係る振り出しキャップは、内容物が収容された容器本体の口部に取り付けられ、内容物を振り出すための振り出し口を有する天壁部と、該天壁部の外周縁から垂下された筒部と、からなる有頂筒状のキャップ本体と、該キャップ本体の天壁部上に配置され、キャップ軸に交差する垂直面に沿って延在する回転軸回りに回転可能に取り付けられ、前記振り出し口を開閉する蓋体と、を備え、前記天壁部には、前記振り出し口が前記キャップ軸より径方向外方に形成され、前記蓋体が、一端側が前記キャップ本体に前記回転軸回りに回転可能に連結される連結端とされ、他端側が開閉操作に伴いキャップ本体に対して接近離間する移動端とされ、前記連結端が、前記キャップ本体において、前記振り出し口が偏在している側の前記筒部に位置していることを特徴とする。
【０００８】
本発明に係る振り出しキャップにおいては、内容物を振り出すにあたって、まず振り出し口を閉じている蓋体を回転させる。即ち、移動端がキャップ本体から離間するように開動作させ、連結端側を中心に蓋体を回転させる。これにより、振り出し口が開いた状態となるので、該振り出し口を通じて内容物を振り出すことができる。
【０００９】
特に、振り出し口はキャップ軸より径方向外方に偏在するように形成されており、この偏在している側のキャップ本体の筒部に蓋体の連結端が位置している。従って、内容物を振り出す際、振り出しキャップの姿勢を振り出し口が下側に位置するような姿勢にしたときに、開状態となった蓋体を振り出し方向側に位置させることができる。よって、内容物を振り出す際、蒸気等の湿気が下方から立ち上がってきたとしても、この蓋体を利用して立ち上がってくる湿気の流れを変える（遮る）ことができる。
これにより、振り出し口に湿気が当たり難くなり、振り出し口に内容物が付着して固化することを効果的に抑制することができる。
【００１０】
（２）本発明に係る振り出しキャップは、上記本発明の振り出しキャップにおいて、前記天壁部には、該天壁部において振り出し口が形成された部分を全周に亘って囲う囲繞壁部が設けられていることを特徴とする。
【００１１】
本発明に係る振り出しキャップにおいては、天壁部において振り出し口が形成された部分を全周に亘って囲う囲繞壁部が設けられている。従って、内容物を振り出す際、蒸気等の湿気が下方から立ち上がってきたとしても、湿気がより振り出し口に直接当たり難くなり、振り出し口に内容物が付着して固化することをより効果的に抑制することができる。
【００１２】
（３）本発明に係る振り出しキャップは、上記本発明の振り出しキャップにおいて、前記囲繞壁部と前記筒部との一部が共有されており、該共有部分に前記連結端が位置するように前記蓋体が設けられていることを特徴とする。
【００１３】
本発明に係る振り出しキャップにおいては、キャップ本体の筒部の一部を囲繞壁部として利用できるので、囲繞壁部の構成の簡略化を図ることができる。また、振り出し口をキャップ本体の筒部に対してより近づけることができるので、内容物を振り出し易く、振り出しキャップを過度に傾ける必要がない。
【発明の効果】
【００１４】
本発明に係る振り出しキャップによれば、蒸気等の湿気が振り出し口に直接当たり難くなるので、該振り出し口に内容物が付着して固化することを抑制することができる。従って、振り出し口の目詰まり等を防止し易い。
【図面の簡単な説明】
【００１５】
【図１】本発明に係る振り出しキャップの実施形態を示す図であって、容器本体の口部に装着された状態における断面図である。
【図２】図１に示す振り出しキャップを上方から見た図である。
【図３】図２に示す状態から蓋体を開状態とした図である。
【図４】図１に示す振り出しキャップを利用して内容物を振り出している状態を示す図である。
【発明を実施するための形態】
【００１６】
以下、本発明に係る振り出しキャップの実施形態について、図１から図４を参照して説明する。
本実施形態の振り出しキャップ１は、図１に示すように、内容物Ｗが収容される容器本体２の口部２ａに取り付けられるキャップであって、内容物Ｗを振り出すための振り出し口１２を有するキャップ本体１０と、振り出し口１２を開閉する蓋体１１と、を備えている。
【００１７】
なお、図１は、容器本体２の口部２ａに取り付けられた状態における振り出しキャップ１の断面図である。また、本実施形態では、キャップ本体１０の中心軸をキャップ軸Ｏといい、このキャップ軸Ｏに直交する方向を径方向、キャップ軸Ｏを中心に周回する方向を周方向とする。また、キャップ軸Ｏに沿って容器本体２から振り出しキャップ１側に離間する方向を上側とし、容器本体２の図示しない底部側に向かう方向を下側とする。
【００１８】
キャップ本体１０は、合成樹脂等から形成された有頂筒状の部材であって、天壁部２１と、この天壁部２１の外周縁から垂下され、容器本体２の口部２ａを径方向外側から囲む筒部２０と、で構成されている。
筒部２０の内周面には、雌ねじ部２０ａが形成されている。そして、この雌ねじ部２０ａが口部２ａに形成された雄ねじ部２ｃに螺合することで、振り出しキャップ１が容器本体２の口部２ａに取り付けられている。
【００１９】
天壁部２１には、図１から図３に示すように、上記振り出し口１２がキャップ軸Ｏより径方向外側に偏在するように形成されていると共に、該振り出し口１２が形成された部分を全周に亘って囲む囲繞壁部３０が形成されている。この点、以下に詳細に説明する。
なお、図２は、図１に示す振り出しキャップ１の上面図である。図３は、図２に示す状態から蓋体１１を開けた状態を示す図である。
【００２０】
まず、本実施形態の天壁部２１は、該天壁部２１の中央を横断するように段差が付いており、段差を境に一方の半分側（図２及び図３において紙面に対して右半分側）が天頂部２１ａとされ、他方の半分側（図２及び図３において紙面に対して左半分側）が、天頂部２１ａよりも一段凹んだ段差部２１ｂとされている。
また、天壁部２１の略中央には、天頂部２１ａ及び段差部２１ｂに亘って下側に窪んだ窪み部２２が形成されている。この窪み部２２は、蓋体１１を開閉操作する際に、指先を入れるための窪みである。
【００２１】
また、段差部２１ｂ側には、有底穴２５が窪み部２２に隣接するように形成されている。この有底穴２５は、上記窪み部２２の壁部を兼用する共通壁部２６と、キャップ本体１０の筒部２０と、互いに対向する一対の対向壁部２７と、底部２８とで構成されている。
そして、この有底穴２５の底部２８に複数の貫通孔１２ａからなる振り出し口１２が形成されている。
つまり、共通壁部２６、キャップ本体１０の筒部２０及び対向壁部２７は、振り出し口１２が形成された部分である底部２８の周囲を全周に亘って囲む囲繞壁部３０として機能する。また、本実施形態では、キャップ本体１０の筒部２０の一部が、上述したように囲繞壁部３０として機能する兼用の壁となっている。即ち、囲繞壁部３０と筒部２０の一部とは、共有している。
【００２２】
また、段差部２１ｂ側に形成された有底穴２５の底部２８に振り出し口１２が形成されているので、該振り出し口１２は上述したように、キャップ軸Ｏより径方向外方に偏在した状態となっている。
【００２３】
なお、この有底穴２５を構成するキャップ本体１０の筒部２０の一部（囲繞壁部３０を兼用する共有部分）は、他の部分よりも高さが低く形成されている。これにより、この高さが低くなった部分を利用して振り出し口１２から振り出した内容物Ｗを外部に振り出すことが可能とされている。つまり、図３に示す矢印Ａ方向が内容物Ｗの振り出し方向となる。
また、一対の対向壁部２７の内面には、径方向外側に向かって漸次低くなるように傾斜し、高さが低くなったキャップ本体１０の筒部２０に連設するストッパ壁部２９がそれぞれ一体的に形成されている。但し、このストッパ壁部２９は、必須なものではなく構成上、設けなくても構わない。
【００２４】
蓋体１１は、キャップ本体１０の天壁部２１上に配置され、ヒンジ部３５を介してキャップ軸Ｏに交差する仮想垂直面に沿って延在する回転軸Ｌ回りに回転可能に取り付けられた部材であり、平面視半円形の板状に形成された蓋本体４０と、この蓋本体４０の外縁から下側に延在し、ヒンジ部３５が一体的に設けられた円弧状の壁部４１と、から構成されている。以下に詳細に説明する。
【００２５】
本実施形態の蓋体１１は、蓋本体４０が天壁部２１の段差部２１ｂ上に重なるように配置されている。この際、蓋本体４０は、天頂部２１ａと段差部２１ｂとの段差分に略等しい厚みで形成されており、閉状態時において天頂部２１ａに対して略面一となるように形成されている。
そして、この天壁部２１上に位置する蓋本体４０の他端側は、蓋体１１の開閉操作に伴ってキャップ本体１０に対して接近離間する移動端Ｐ１とされており、窪み部２２の一部を覆っている。そのため、窪み部２２に指先を入れることで、移動端Ｐ１を介して蓋体１１を開閉させることが可能とされている。
【００２６】
一方、蓋本体４０の一端側は、振り出し口１２が偏在している側の筒部２０側に位置すると共に、キャップ本体１０に回転可能に連結される連結端Ｐ２とされており、この連結端Ｐ２の下面に上記壁部４１が形成されている。そして、この壁部４１と、囲繞壁部３０を兼用するキャップ本体１０の筒部２０との間に、ヒンジ部３５が設けられている。そのため、蓋体１１は、このヒンジ部（主ヒンジ）３５によって上記回転軸Ｌ回りに回転するようになっており、これにより振り出し口１２の開閉を行えるようになっている。
特に、本実施形態の蓋体１１は、連結端Ｐ２が壁部４１及びヒンジ部３５を介して、囲繞壁部３０を兼用するキャップ本体１０の筒部２０に連結されているので、開状態時に内容物Ｗの振り出し方向側に位置するように設計されている。
【００２７】
また、蓋体１１の下面には、該蓋体１１を閉状態としたときに、ストッパ壁部２９に重なる側面視三角形状の一対の仕切り板４２が形成されている。この仕切り板４２により、蓋体１１を閉状態としたときに、振り出し口１２が形成された有底穴２５内の空間をほぼ密閉した空間にすることができ、外気との連通をほぼ遮断することが可能とされている。
【００２８】
また、キャップ本体１０の筒部２０と、蓋体１１の壁部４１との間には、ヒンジ部３５を挟んで向かい合うように板バネ等の付勢部材（副ヒンジ）４３が接続されている。これにより、蓋体１１を開閉動作させる際に、付勢部材４３からの付勢力を受けて蓋体１１を速やかに開閉できるようになっている。
【００２９】
次に、このように構成された振り出しキャップ１を利用して、内容物Ｗを振り出す場合について説明する。
はじめに、保管時或いは未使用時の段階において、図１に示すように蓋体１１が閉状態となって振り出し口１２を閉じており、この振り出し口１２が形成された有底穴２５に湿気が侵入し難い。従って、保管時或いは未使用時の段階で、容器本体２に収容されている内容物Ｗが湿気の影響を受け難い。
【００３０】
次に、振り出しを行う場合には、まず、振り出し口１２を閉じている蓋体１１を回転軸Ｌ回りに回転させる。即ち、窪み部２２に指先を入れて蓋本体４０の移動端Ｐ１を引き上げ、該移動端Ｐ１を介して蓋体１１を開動作させる。すると、蓋体１１は、移動端Ｐ１がキャップ本体１０から離間するようにヒンジ部３５回り（回転軸Ｌ回りに）に回転して、図３に示す状態となる。これにより、振り出し口１２が開いた状態となる。なお、開状態となった蓋体１１は、振り出し方向側に位置している。
【００３１】
次いで、図４に示すように、振り出し口１２の形成部分が水平位置よりも下側に位置するような姿勢となるように容器本体２を逆さに傾けた状態で、振り出し動作を行う。これにより、振り出し口１２を通じて容器本体２内に収容されている内容物Ｗを振り出すことができる。
【００３２】
ところで、本実施形態の振り出し口１２は、有底穴２５の底部２８に形成されていると共に、この底部２８の周囲には該底部２８を全周に亘って囲う囲繞壁部３０が設けられている。従って、内容物Ｗを振り出している際に、蒸気等の湿気（図４に示す矢印Ｍ）が下方から立ち上がってきたとしても、これらが振り出し口１２に直接当たり難い。従って、従来のものとは異なり、振り出し口１２に内容物Ｗが付着して固化することを抑制することができる。
【００３３】
特に、開状態となった蓋体１１が振り出し方向側に位置しているので、この蓋体１１を利用して立ち上がってくる湿気の流れを変えることができる。そのため、振り出し口１２に湿気がより当たり難くなり、振り出し口１２に内容物Ｗが付着して固化することを効果的に抑制することができる。
なお、蓋体１１が振り出し方向側に位置していても、この蓋体１１を経由しながら内容物Ｗを振り出すことができるので、振り出しには何ら影響を与えることがない。
【００３４】
また、本実施形態の蓋体１１は、キャップ本体１０の天壁部２１の全体を占めるのではなく、天壁部２１上の一部に配置された構成となっている。即ち、蓋体１１は、蓋本体４０が段差部２１ｂだけに重なる状態となっている。従って、蓋体１１を開動作させて振り出し口１２を開けたときに限らず、閉じた状態であっても、湿気が入り込む可能性のあるルートを狭くでき、湿気が振り出し口１２に到達し難い。つまり、有底穴２５の開口面積を小さくすることができるので湿気が振り出し口１２に到達し難い。
この点においても、振り出し口１２に内容物Ｗが付着して固化することを効果的に抑制することができる。
【００３５】
上述したように、本実施形態の振り出しキャップ１によれば、蒸気等の湿気が振り出し口１２に直接当たり難くなるので、振り出し口１２に内容物Ｗが付着して固化することを抑制することができる。従って、振り出し口１２の目詰まり等を防止し易い。また、内容物Ｗの固化によって、蓋体１１が閉まらなくなる恐れもない。
また、本実施形態では、キャップ本体１０の筒部２０の一部を囲繞壁部３０として利用できるので、囲繞壁部３０の構成の簡略化を図ることができる。また、振り出し口１２をキャップ本体１０の筒部２０に対してより近づけることができるので、内容物Ｗを振り出し易く、振り出しキャップ１を過度に傾ける必要がない。
【００３６】
なお、本発明の技術範囲は、上記実施形態に限定されるものではなく、本発明の趣旨を逸脱しない範囲において、種々の変更を加えることが可能である。
【００３７】
例えば、上記実施形態では、キャップ本体１０の筒部２０と容器本体２の口部２ａとを螺合させることで、容器本体２の口部２ａに振り出しキャップ１を取り付けた構成としたが、螺合に限られず、容器本体２の口部２ａに振り出しキャップ１を装着できれば他の構造を採用しても構わない。例えば、キャップ本体１０の筒部２０を容器本体２の口部２ａにアンダーカット嵌合させても構わない。
【００３８】
また、上記実施形態では、有底穴２５の底部２８に振り出し口１２を形成し、この底部２８の周囲を囲繞壁部３０で囲む構成としたが、この囲繞壁部３０は必須なものではなく、構成上、設けなくても構わない。但し、湿気が振り出し口１２により直接当たり難くなるので、上記実施形態のように構成することが好ましい。
なお、囲繞壁部を設ける場合には、振り出し口１２が形成された部分の周囲を囲むように筒状の壁体を立設し、該壁体の内周面を囲繞壁部として機能させても構わない。
【００３９】
また、上記実施形態では、ヒンジ部３５を利用して蓋体１１を回転軸Ｌ回りに回転可能に構成したが、回転可能であればヒンジ部３５以外の構造を採用することも可能である。
【符号の説明】
【００４０】
Ｌ…回転軸
Ｏ…キャップ軸
Ｗ…内容物
Ｐ１…移動端
Ｐ２…連結端
２…容器本体
２ａ…容器本体の口部
１０…キャップ本体
１１…蓋体
１２…振り出し口
２０…キャップ本体の筒部
２１…キャップ本体の天壁部
３０…囲繞壁部
【図１】
2011093588.tif 000003
【図２】
2011093588.tif 000004
【図３】
2011093588.tif 000005
【図４】
2011093588.tif 000006